(57)【特許請求の範囲】
【請求項１】
光伝送路及びその光伝送路により接続された装置の障害発生を監視する伝送路監視装置において、
第一の波長の下りデータ信号と第二の波長の試験信号とを光結合し、下位装置に送信する第一光結合手段と、
前記下位装置に送信された信号を受信し、その信号を第一の波長の下りデータ信号と第二の波長の試験信号とに光分離する第一光分離手段と、
第一の波長の上りデータ信号と前記第一光分離手段から供給される第二の波長の試験信号とを光結合し、上位装置に送信する第二光結合手段と、
前記上位装置に送信された信号を受信し、その信号を第一の波長の上りデータ信号と第二の波長の試験信号とに光分離する第二光分離手段と、
前記第二の波長の試験信号に基づいて障害発生及び障害発生位置を監視する監視手段と、
前記下りデータ信号を二つの信号に分波し、一の信号を第一の波長の下りデータ信号に変換すると共に、他の信号を第二の波長の試験信号に変換する第二試験信号生成手段とを有し、
前記第一光結合手段と、第一光分離手段と、第二光結合手段と、第二光分離手段とは、受動素子で構成されていることを特徴とする伝送路監視装置。
【請求項２】
前記監視手段は、
前記第二の波長の試験信号から元の下りデータ信号を生成し、その下りデータ信号に基づいて同期エラー情報及びデータ信号エラー情報を出力するエラー情報出力手段と、
前記同期エラー情報及びデータ信号エラー情報が出力されると、そのエラー情報を表示すると共に、前記上位装置から送信される上りデータ信号にそのエラー情報を挿入するエラー情報表示／転送手段とを有することを特徴とする請求項１記載の伝送路監視装置。
【発明の詳細な説明】
【０００１】
【発明の属する技術分野】
本発明は、伝送路監視装置に係り、特に、光伝送路により接続された装置間の障害発生部分を特定する伝送路監視装置に関する。
【０００２】
【従来の技術】
近年、光ファイバ網がユーザ宅近辺まで敷設されてきている。このような光ファイバ網においては、障害が発生した場合にその障害発生部分が大まかに特定できるように保守管理機能を有している。
保守管理機能は、例えば図１に示すように行われていた。図１は、伝送路監視装置の一例の構成図を示す。図１の伝送路監視装置は、サービス局１０，ユーザ宅２０，下り光ファイバ伝送路４０，及び上り光ファイバ伝送路４２を含む構成である。
【０００３】
サービス局１０は、サービス提供会社のサービス局に設置される光終端装置等の局装置１２を含む。ユーザ宅２０は、端末装置２２，光／電気変換機能を有するＤＳＵ（Ｄｉｇｉｔａｌ  Ｓｅｒｖｉｃｅ  Ｕｎｉｔ）等の宅内装置２４を含む。なお、一般的に局装置１２は上位装置と呼ばれ，宅内装置２４は下位装置と呼ばれる。
【０００４】
例えば、局装置１２及び宅内装置２４は折り返しポイントを有し、障害発生部分の切り分けを行なっている。特に、宅内装置２４は端末装置２２側に折り返しポイントを有し、障害発生部分が端末２２又は宅内装置２４を含むその上位側であるかを切り分けている。
宅内装置２４の折り返しポイントは光／電気変換器２８で局装置１２から供給された光信号を電気信号に変換し、その変換された電気信号を折り返し処理装置２６を介して電気／光変換器３０に供給する。そして、電気／光変換器３０は供給された電気信号を光信号に変換し、その変換された光信号を局装置１２に供給している。
【０００５】
局装置１２において受信信号同期外れ又は上り伝送路異常を検出した場合、宅内装置２４の送信部又は上り光ファイバ伝送路４２に障害が発生していることが確認できる。したがって、最初にその宅内装置２４が設置してあるユーザ宅２０に行き、宅内装置２４を取り替える。宅内装置２４を取り替えて障害から回復した場合は宅内装置２４の障害である。また、宅内装置２４を取り替えて障害が回復しない場合は、引き続き上り光ファイバ伝送路４２の調査を行なう。
【０００６】
一方、ユーザ宅２０において受信信号同期外れ又は下り伝送路異常を検出した場合、宅内装置２４の受信部又は下り光ファイバ伝送路４０に障害が発生していることが確認できる。この場合も最初にその宅内装置２４が設置してあるユーザ宅２０に行き、宅内装置２４を取り替える。宅内装置２４を取り替えて障害から回復した場合は宅内装置２４の障害である。また、宅内装置２４を取り替えて障害が回復しない場合は、引き続き下り光ファイバ伝送路４０の調査を行なう。
【０００７】
以上のような、宅内装置２４の折り返しポイントによる障害発生部分の切り分けにより、端末２２の障害と宅内装置２４を含むその上位側の障害とを切り分けていた。さらに、局装置１２の折り返しポイントによる障害発生部分の切り分けにより、宅内装置２４，下り光ファイバ伝送路４０，又は上り光ファイバ伝送路４２の障害と、局装置１２の上位側の障害とを切り分けていた。
【０００８】
【発明が解決しようとする課題】
しかしながら、従来の伝送路監視装置の折り返しポイントによる障害発生部分の切り分けは、宅内装置２４の障害と、下り光ファイバ伝送路４０及び上り光ファイバ伝送路４２の障害とを切り分けることが出来ないという問題がある。
したがって、宅内装置２４，下り光ファイバ伝送路４０，又は上り光ファイバ伝送路４２の何れかに障害が生じた場合、現地調査をしなければ正確に障害の切り分けができず、人的工数の増大という問題が生じていた。
【０００９】
さらに、ユーザ宅２０で宅内装置２４の電源が切断された場合、伝送路監視装置を正常に動作させることができないという問題があった。
本発明は、上記の点に鑑みなされたもので、宅内装置の電源状態によらず宅内装置の障害と光伝送路の障害とを切り分けることが可能な伝送路監視装置を提供することを目的とする。
【００１０】
【課題を解決するための手段】
そこで、上記課題を解決するため、本発明は、光伝送路及びその光伝送路により接続された装置の障害発生を監視する伝送路監視装置において、第一の波長の下りデータ信号と第二の波長の試験信号とを光結合し、下位装置に送信する第一光結合手段と、前記下位装置に送信された信号を受信し、その信号を第一の波長の下りデータ信号と第二の波長の試験信号とに光分離する第一光分離手段と、第一の波長の上りデータ信号と前記第一光分離手段から供給される第二の波長の試験信号とを光結合し、上位装置に送信する第二光結合手段と、前記上位装置に送信された信号を受信し、その信号を第一の波長の上りデータ信号と第二の波長の試験信号とに光分離する第二光分離手段と、前記第二の波長の試験信号に基づいて障害発生及び障害発生位置を監視する監視手段とを有することを特徴とする。
【００１１】
このように、上位装置で第一の波長の下りデータ信号と第二の波長の試験信号とを光結合し、その光結合された信号を下位装置の第一光分離手段，第二光結合手段を介して上位装置の第二光分離手段に供給することにより、上位装置，光伝送路，下位装置で構成されるループで光信号折り返し試験が可能となる。したがって、障害が発生した場合にその障害が光伝送路によるものか下位装置によるものかを容易に切り分けることができる。
【００１２】
例えば、光伝送路の保守管理と下位装置の保守管理とが別の業者による場合、現地調査により障害の切り分けを行なう必要があったが、本発明によれば事前に障害の切り分けが可能であるため、現地調査が必要なく障害に対する迅速な対応及び人件費の削減が可能である。
また、本発明は、前記第一光結合手段と、第一光分離手段と、第二光結合手段と、第二光分離手段とは、受動素子で構成されていることを特徴とする。
【００１３】
このように、第一光結合手段と、第一光分離手段と、第二光結合手段と、第二光分離手段とが受動素子で構成されていることにより、前記下位装置の電源状態によらず障害の切り分けが可能となる。
また、本発明は、前記第二の波長の試験信号を生成する第一試験信号生成手段を更に有することを特徴とする。
【００１４】
このように、第二の波長の試験信号を上位装置内で生成することにより、第一の波長のデータ信号に影響を与えず伝送路監視装置による障害の切り分けが可能となる。
また、本発明は、前記監視手段は、前記第二の波長の試験信号の信号レベルを監視し、所定の信号レベル以下になると警報情報を出力する警報情報出力手段と、前記警報情報が出力されると、その警報情報を表示すると共に、前記上位装置から送信される上りデータ信号に警報情報を挿入する警報表示／転送手段とを有することを特徴とする。
【００１５】
このように、第二の波長の試験信号の信号レベルを監視し、その信号レベルが予め定められている所定の信号レベル以下になると警報情報を出力することにより、光伝送路，上位装置，及び下位装置の障害発生を検出できる。また、障害発生を検出した場合、その警報情報をＬＥＤ等の表示手段により表示すると共に、上位側に送信する上りデータ信号に警報情報を挿入することにより、上位側に障害発生を表す警報情報を送信することが可能となる。
【００１６】
また、本発明は、前記下りデータ信号を二つの信号に分波し、一の信号を第一の波長の下りデータ信号に変換すると共に、他の信号を第二の波長の試験信号に変換する第二試験信号生成手段を更に有することを特徴とする。
このように、供給される下りデータ信号から第二の波長の試験信号を生成することにより、第二の波長の試験信号生成のための回路の簡素化が可能となる。
【００１７】
また、本発明は、前記監視手段は、前記第二の波長の試験信号から元の下りデータ信号を生成し、その下りデータ信号に基づいて同期エラー情報及びデータ信号エラー情報を出力するエラー情報出力手段と、前記同期エラー情報及びデータ信号エラー情報が出力されると、そのエラー情報を表示すると共に、前記上位装置から送信される上りデータ信号にそのエラー情報を挿入するエラー情報表示／転送手段とを有することを特徴とする。
【００１８】
このように、試験信号から元の下りデータ信号を生成し、その下りデータ信号に含まれる同期信号及び誤り訂正信号を利用することにより、同期エラー情報及びデータ信号エラー情報を出力することが可能となる。ここで、同期エラー情報は光伝送路の異常を監視することができ、データ信号エラーは光伝送路の劣化等の伝送路状態を監視することができる。
【００１９】
また、同期エラー情報及びデータ信号エラー情報を検出した場合、そのエラー情報をＬＥＤ等の表示手段により表示すると共に、上位側に送信する上りデータ信号にそのエラー情報を挿入することにより、上位側に同期エラー及びデータ信号エラーの発生を表すエラー情報を送信することが可能となる。
また、本発明は、前記第一試験信号生成手段の処理の開始及び停止を制御する第一制御手段を更に含むことを特徴とする。
【００２０】
このように、第一試験信号生成手段の処理の開始及び停止を制御することにより、本発明の伝送路監視装置を必要としない場合に第一試験信号生成手段の処理を停止し、消費電力の低減を図ることが可能となる。
また、本発明は、前記警報情報出力手段及び警報表示／転送手段の処理の開始及び停止を制御する第二制御手段を更に含むことを特徴とする。
【００２１】
このように、警報情報出力手段及び警報表示／転送手段の処理の開始及び停止を制御することにより、本発明の伝送路監視装置を必要としない場合に警報情報出力手段及び警報表示／転送手段の処理を停止し、消費電力の低減を図ることが可能となる。
また、本発明は、前記第一制御手段の制御を時間的に管理するタイマ手段を更に含むことを特徴とする。
【００２２】
このように、第一制御手段の制御を時間的に管理するタイマ手段を有することにより、所定の間隔で本発明の伝送路監視装置を処理させることが可能となる。
また、本発明は、前記下りデータ信号に含まれるコマンド信号を検出し、そのコマンド信号に基づいて前記第一制御手段の制御を管理するコマンド検出手段を更に含むことを特徴とする。
【００２３】
このように、下りデータ信号に含まれるコマンド信号を検出し、そのコマンド信号に基づいて第一制御手段の制御を管理することにより、更に上位側に位置する装置で本発明の伝送路監視装置の制御が可能となる。したがって、上位側に位置する装置で光伝送路監視が必要であると判断した場合にのみ光伝送路の監視を行なえば良く、消費電力の低減を図ることが可能となる。
【００２４】
また、本発明は、光伝送路及びその光伝送路により接続された装置の障害発生を監視する伝送路監視方法において、第一の波長の下りデータ信号と第二の波長の試験信号とを光結合し、下位装置に送信すると、前記下位装置に送信された信号を受信し、その信号を第一の波長の下りデータ信号と第二の波長の試験信号とに光分離する段階と、第一の波長の上りデータ信号と前記第一光分離手段から供給される第二の波長の試験信号とを光結合し、上位装置に送信する段階と、前記上位装置に送信された信号を受信し、その信号を第一の波長の上りデータ信号と第二の波長の試験信号とに光分離する段階と、前記第二の波長の試験信号に基づいて障害発生及び障害発生位置を監視する段階とを有することを特徴とする。
【００２５】
このように、上位装置で第一の波長の下りデータ信号と第二の波長の試験信号とを光結合して下位装置に送信し、下位装置でその光結合された信号を第一の波長の下りデータ信号と第二の波長の試験信号とに光分離し、第一の波長の上りデータ信号と前記光分離された第二の波長の試験信号とを光結合して上位装置に送信し、上位装置でその光結合された信号を第一の波長の上りデータ信号と第二の波長の試験信号とに光分離することにより、上位装置，下位装置，及び光伝送路でループを構成し、光信号折り返し試験が可能となる。したがって、障害が発生した場合にその障害が光伝送路によるものか下位装置によるものかを容易に切り分けることができる。
【００２６】
【発明の実施の形態】
以下に、本発明の実施例を図面に基づいて説明する。
図２は、本発明の伝送路監視装置の第一実施例の構成図を示す。サービス局１０は、図示していない上位装置から局装置１２の受信フレーム変換器５０にデータ信号が供給される。受信フレーム変換器５０は供給されたデータ信号のフレームを変換し、その変換したデータ信号を電気／光変換器６０に供給する。
【００２７】
電気／光変換器６０は供給されたデータ信号を波長λ１の光信号に変換し、その波長λ１の光信号を送信ＷＤＭ（Ｗａｖｅｌｅｎｇｔｈ  ｄｉｖｉｓｉｏｎ  ｍｕｌｔｉｐｌｅｘ）器７０に供給する。一方、局装置１２のレベル光作成器８０は試験信号として利用する波長λ２の光信号を生成し、その生成した波長λ２の光信号を送信ＷＤＭ器７０に供給する。
【００２８】
送信ＷＤＭ器７０は波長λ１の光信号と波長λ２の光信号とが供給され、その波長λ１の光信号と波長λ２の光信号とを波長分割多重する。そして、送信ＷＤＭ器７０は波長分割多重した光信号を下り光ファイバ伝送路４０を介して宅内装置２４の受信ＷＤＭ器２００に供給する。
受信ＷＤＭ器２００は波長分割多重された光信号が供給され、その供給された光信号を波長λ１のデータ信号と波長λ２の試験信号とに分離する。そして、受信ＷＤＭ器２００は分離した波長λ１のデータ信号を光／電気変換器２１０に供給すると共に、波長λ２の試験信号を送信ＷＤＭ器２７０に供給する。
【００２９】
送信ＷＤＭ器２７０は、電気／光変換器２６０から波長λ１のデータ信号が供給されると共に、受信ＷＤＭ器２００から波長λ２の試験信号が供給され、その波長λ１の光信号と波長λ２の光信号とを波長分割多重する。そして、送信ＷＤＭ器２７０は波長分割多重した光信号を上り光ファイバ伝送路４２を介して局装置１２の受信ＷＤＭ器９０に供給する。
【００３０】
なお、波長λ２の試験信号は受動素子である受信ＷＤＭ器２００及び送信ＷＤＭ器２７０により折り返しポイントが構成されているため、宅内装置２４の電源の状態に関わらず試験信号の折り返しが可能である。
一方、宅内装置２４の光／電気変換器２１０に供給された波長λ１のデータ信号の処理について簡単に説明すると、波長λ１のデータ信号は光／電気変換された後、伝送路同期フレーム変換器２２０に供給される。伝送路同期フレーム変換器２２０は供給されたデータ信号を端末装置２２に供給すると共に、受信警報処理器２３０及び送信警報処理器２４０を介して伝送路同期フレーム変換器２５０に供給する。
【００３１】
伝送路同期フレーム変換器２５０は、端末装置２２から供給されるデータ信号に受信警報処理器２３０及び送信警報処理器２４０を介して供給される信号を挿入し、その挿入された信号を電気／光変換器２６０に供給している。
宅内装置２４の送信ＷＤＭ器２７０から波長分割多重された光信号を供給される局装置１２の受信ＷＤＭ器９０は、波長分割多重された光信号を波長λ１のデータ信号と波長λ２の試験信号とに分離する。そして、受信ＷＤＭ器９０は分離した波長λ１のデータ信号を光／電気変換器１００に供給すると共に、波長λ２の試験信号をレベル光受信部１２０に供給する。
【００３２】
レベル光受信部１２０は供給される波長λ２の試験信号の光信号レベルを監視し、所定のレベル以下になった場合、光ファイバ警報表示／転送部１３０に伝送路異常を示す警報情報を供給する。光ファイバ警報表示／転送部１３０は伝送路異常を示す警報情報を供給されると、その警報情報の表示を行なうと共に伝送路同期送信フレーム変換器１１０に警報情報を供給する。
【００３３】
伝送路同期送信フレーム変換器１１０は、光／電気変換器１００から供給されるデータ信号に光ファイバ警報表示／転送部１３０から供給される警報情報を挿入し、その挿入されたデータ信号をサービス局１０の上位側に供給することにより、伝送路異常を示す警報情報の転送を行なっている。
以下、第一実施例の伝送路監視装置の主要な構成部分について図面を使用して詳細に説明する。
【００３４】
図３は、レベル光作成器の一例の構成図を示す。図３のレベル光作成器８０は、ＬＤ（Ｌａｓｅｒ  Ｄｉｏｄｅ）ドライバ停止回路部８１，ＬＤドライバ部８２，及びＬＤ８３を含む。ＬＤドライバ部８２は光信号出力レベルを決定し、その光信号出力レベルに応じた信号をＬＤ８３に供給する。ＬＤ８３は供給された信号を電気／光変換し、波長λ２の試験信号を出力する。なお、ＬＤドライバ停止回路部８１に後述する停止信号が供給された場合、ＬＤドライバ停止回路部８１はＬＤドライバ部８２の処理を停止させる。
【００３５】
図４は、送信ＷＤＭ器の一例の構成図を示す。図４の送信ＷＤＭ器７０は、光結合器７１を含む。光結合器７１は波長λ１の光信号と波長λ２の光信号とを供給され、その波長λ１の光信号と波長λ２の光信号とを波長分割多重して出力する。なお、送信ＷＤＭ器７０は受動素子により構成されている。
図５は、受信ＷＤＭ器の一例の構成図を示す。図５の受信ＷＤＭ器２００は、光分離器２０１及び光フィルタ２０２，２０３を含む。光分離器２０１は波長λ１の光信号と波長λ２の光信号とが波長分割多重された光信号が供給され、その波長分割多重された光信号を二つに分離する。
【００３６】
光分離器２０１は、二つに分離した光信号のうち一方の光信号を光フィルタ２０２に供給し、他方の光信号を光フィルタ２０３に供給する。光フィルタ２０２は波長λ１の光信号のみを通過させる光フィルタであり、供給された波長λ１の光信号と波長λ２の光信号とが波長分割多重された光信号から波長λ１の光信号のみを出力する。また、光フィルタ２０３は波長λ２の光信号のみを通過させる光フィルタであり、供給された波長λ１の光信号と波長λ２の光信号とが波長分割多重された光信号から波長λ２の光信号のみを出力する。
【００３７】
図６は、レベル光受信部の一例の構成図を示す。図６のレベル光受信部１２０は、ＰＤ（Ｐｈｏｔｏ  Ｄｉｏｄｅ）１２１，光レベル検出部１２２，及び光レベル検出停止回路部１２３を含む。
ＰＤ１２１は波長λ２の試験信号を供給され、その波長λ２の試験信号の光信号レベルに応じた信号を光レベル検出部１２２に供給する。光レベル検出部１２２は供給された信号に基づいて試験信号の光信号レベルの検出を行い、その光信号レベルが所定のレベル以下に低下した場合に伝送路異常を示す警報情報を出力する。なお、光レベル検出停止回路部１２３に後述する停止信号が供給された場合、光レベル検出停止回路部１２３は、光レベル検出部１２２の処理を停止する。
【００３８】
図７は、光ファイバ警報表示／転送部の一例の構成図を示す。図７の光ファイバ警報表示／転送部１３０は、受信部１３２，ランプ点灯ドライバ１３３，パルスジェネレータ１３４，及び警報情報リタイミング部１３５を含む。
パルスジェネレータ１３４は図８（Ｂ）に示すような伝送路同期送信フレーム変換器１１０からのタイミングパルス信号を供給され、警報情報リタイミング部１３５に図８（Ｃ）に示すようなクロック信号及びフレーム信号を供給する。また、受信部１３２は図８（Ａ）に示すような伝送路異常を示す警報情報を供給されると、警報情報をランプ点灯ドライバ１３３及び警報情報リタイミング部１３５に供給する。
【００３９】
警報情報リタイミング部１３５は警報情報を供給されると、クロック信号及びフレーム信号のタイミングに従って、図８（Ｅ）に示すように警報情報を伝送路同期送信フレーム変換器１１０に供給する。
また、ランプ点灯ドライバ１３３は伝送路異常を示す警報情報を供給されると、警報表示を行なうための処理を行なう。警報表示としては、例えばランプ，ＬＥＤ等を点灯させるなど様々な形態が考えられる。なお、後述する光送信／光受信動作制御部からの停止信号が供給された場合、パルスジェネレータ部１３４及びランプ点灯ドライバ１３３は処理を停止する。なお、警報情報には後述する同期エラー及びデータ信号エラーが含まれる。
【００４０】
以上のように、本発明の伝送路監視装置の第一実施例は、宅内装置２４内に受動素子で構成される折り化しポイントを構成することにより、宅内装置の電源状態によらず宅内装置２４の障害と光ファイバ伝送路４０，４２の障害とを切り分けることが可能となる。
次に、本発明の第二実施例について説明する。図９は、本発明の伝送路監視装置の第二実施例の構成図を示す。図９の伝送路監視装置は、図１のレベル光作成器８０の代りに試験データ光作成部３００を含む構成である。したがって、図９の伝送路監視装置の構成は図１の構成と一部を除いて同様であり、同一部分には同一符号を付し説明を省略する。
【００４１】
試験データ光作成部３００は、受信フレーム変換器５０から供給されたデータ信号を波長λ１の光信号と波長λ２の光信号とに変換し、その波長λ１の光信号及び波長λ２の光信号を送信ＷＤＭ器７０に供給する。
以下、試験データ光作成部３００について図面を使用して詳細に説明する。図１０は、試験データ光作成部の一例の構成図を示す。図１０の試験データ光作成部３００は、ＬＤドライバ３０１，データ信号用ＬＤ３０２，及び試験信号用ＬＤ３０３を含む。
【００４２】
ＬＤドライバ３０１は、供給されたデータ信号に基づいた信号をデータ信号用ＬＤ３０２及び試験信号用ＬＤ３０３に供給する。データ信号用ＬＤ３０２は供給された信号を電気／光変換し、波長λ１のデータ信号を出力する。また、試験信号用ＬＤ３０３は、供給された信号を電気／光変換し、波長λ２の試験信号を出力する。
【００４３】
以上のように、本発明の伝送路監視装置の第二実施例はデータ信号を利用して試験信号を生成することにより個別に試験信号生成のための回路を必要とせず、回路の簡素化が可能となる。
次に、本発明の第三実施例について説明する。図１１は、本発明の伝送路監視装置の第三実施例の構成図を示す。図１１の伝送路監視装置は、図９のレベル光受信部１２０の代りに試験データ光受信部３１０を含む構成である。したがって、図１１の伝送路監視装置の構成は図９の構成と一部を除いて同様であり、同一部分には同一符号を付し説明を省略する。
【００４４】
試験データ光受信部３１０は波長λ２の試験信号を供給され、その波長λ２の光信号を光／電気変換して元のデータ信号を生成する。そして、このデータ信号を利用して同期エラー及びデータ信号エラーを検出する。例えば、同期エラーは伝送路異常を示し、データ信号エラーは伝送路状態を示すと考えることができる。以上は、受信フレーム変換器５０から供給されるデータ信号を試験信号として利用することによる特徴である。そして、試験データ光受信部３１０は、検出した同期エラー及びデータ信号エラーを光ファイバ警報表示／転送部１３０に供給する。
【００４５】
以下、試験データ光受信部３１０について図面を使用して詳細に説明する。図１２は、試験データ光受信部の一例の構成図を示す。図１２の試験データ光受信部３１０は、ＰＤ３１１，光レベル検出停止回路部３１２，電気信号調整部３１３，及び同期処理部３１４を含む。
ＰＤ３１１は、供給された波長λ２の試験信号を光／電気変換し、元のデータ信号を生成する。その生成されたデータ信号は電気信号調整部３１３に供給され、増幅，リタイミング，波形成形等の処理が行われる。その後、電気信号調整部３１３から同期処理部３１４にデータ信号が供給され、同期処理部３１４はデータ信号の同期処理を行なう。
【００４６】
ここで同期処理について図１３を使用して説明する。図１３は、同期処理の一例の説明図を示す。図１３（Ａ）に示すように、データ信号の同期処理はデータ信号中に含まれる図中”Ｆ”で表しているフレーム同期ビットを検出することにより同期エラーの検出を行なっている。また、図中”Ｄ”はデータ領域を表している。
【００４７】
図１３（Ｂ）はフレーム同期ビットのビット列の一例を示している。例えば、Ｆ１，Ｆ３，及びＦ５は同期ビットとして利用され、Ｆ２及びＦ４はＣＲＣエラー検出ビットとして利用され、Ｆ６は警報情報ビットとして利用される。同期ビットにより同期エラーの検出を行なうと共に、ＣＲＣエラー検出ビットによりデータ信号エラーの検出を行なう。このように検出された同期エラー及びデータ信号エラーは、Ｆ６に格納される。
【００４８】
図１３（Ｃ）はＦ６の警報情報ビットのビット列の一例を示している。Ｆ６の第１ビット（以下、Ｆ６−１という。また、他のビットも同様に記載する。）は、警報情報ビットの同期ビットとして利用され、Ｆ６−２〜６は警報情報として利用される。例えば、Ｆ６−２は同期エラーを表すビットとして利用され、Ｆ６−３はデータ信号エラーを表すビットとして利用される。その他、多種類の警報情報を転送することが可能である。
【００４９】
図１２に戻って説明を続けると、同期処理部３１４は前述のような警報情報を光ファイバ警報表示／転送部１３０に出力している。なお、後述する光受信動作制御部からの停止信号が光レベル検出停止回路部３１２に供給された場合、電気信号調整部３１３及び同期処理部３１４の処理が停止される。
以上のように、本発明の伝送路監視装置の第三実施例はデータ信号から試験信号を生成することにより、試験データ光受信部において同期エラー及びデータ信号エラーを検出できる。したがって、同期エラーにより伝送路異常を監視すると共に、データ信号エラーにより光伝送路の劣化等の伝送路状態を監視することが可能となる。
【００５０】
次に、本発明の第四実施例について説明する。図１４は、本発明の伝送路監視装置の第四実施例の構成図を示す。図１４の伝送路監視装置は、図２に光送信動作制御部３２０を更に含む構成である。したがって、図１４の伝送路監視装置の構成は図２の構成と一部を除いて同様であり、同一部分には同一符号を付し説明を省略する。
【００５１】
例えば、ユーザ宅２０の宅内装置２４が本願発明の伝送路監視方法に対応していない場合、試験信号を生成する処理は無駄となる。そこで、光送信動作制御部３２０は、本願発明の伝送路監視装置が必要ない場合にレベル光作成器８０に停止信号を供給する。
以下、光送信動作制御部３２０について図面を使用して詳細に説明する。図１５は、光送信動作制御部の一例の構成図を示す。光送信動作制御部３２０は、制御情報検出部３２１，パルスジェネレータ３２２，カウンタ制御部３２３，カウンタ部３２４，及びＳＷ部３２５を含む。
【００５２】
制御情報検出部３２１は、後述するタイマ部からの制御信号を検出してカウンタ制御部３２３に供給する。パルスジェネレータ３２２は、クロック信号及びフレーム位相パルス信号に基づいて、制御情報検出部３２１で制御信号の検出に利用するタイミング信号を生成する。
ＳＷ部３２５は、マニュアル設定により試験信号の生成を停止する時間を設定され、その設定に基づいて制御信号をカウンタ制御部３２３に供給する。なお、ＳＷ部３２５は、時間に関係無く試験信号の生成を停止する設定が含まれるものとする。
【００５３】
カウンタ制御部３２３は、制御情報検出部３２１及びＳＷ部３２５から供給される制御信号に基づいてカウンタ部を制御する。カウンタ部３２４は、カウンタ制御部３２３の制御に基づいて、試験信号の停止を指示する停止信号をレベル光作成器８０に供給する。
以上のように、本発明の伝送路監視装置の第四実施例は、伝送路監視装置を必要としない場合に試験信号の生成を停止することにより、消費電力の低減を図ることができる。
【００５４】
次に、本発明の第五実施例について説明する。図１６は、本発明の伝送路監視装置の第五実施例の構成図を示す。図１６の伝送路監視装置は、図２に光受信動作制御部３３０を更に含む構成である。したがって、図１６の伝送路監視装置の構成は図２の構成と一部を除いて同様であり、同一部分には同一符号を付し説明を省略する。
【００５５】
例えば、ユーザ宅２０の宅内装置２４が本願発明の伝送路監視方法に対応していない場合、試験信号に基づいて伝送路異常を示す警報情報を生成する処理、すなわちレベル光受信部１２０及び光ファイバ警報表示／転送部１３０の処理は無駄となる。そこで、光受信動作制御部３３０は、本願発明の伝送路監視装置が必要ない場合にレベル光受信部１２０及び光ファイバ警報表示／転送部１３０に停止信号を供給する。なお、光受信動作制御部３３０は図１５に示す光送信動作制御部３２０の構成と同様であり説明を省略する。
【００５６】
以上のように、本発明の伝送路監視装置の第五実施例は、伝送路監視装置を必要としない場合に警報情報の生成を停止することにより、消費電力の低減を図ることができる。
次に、本発明の第六実施例について説明する。図１７は、本発明の伝送路監視装置の第六実施例の構成図を示す。図１７の伝送路監視装置は、図１４にタイマ部３４０を更に含む構成である。したがって、図１７の伝送路監視装置の構成は図１４の構成と一部を除いて同様であり、同一部分には同一符号を付し説明を省略する。
【００５７】
タイマ部３４０は時間管理機能を有しており試験信号の生成処理の開始又は停止を制御する制御信号を光送信動作制御部３２０に供給する。この制御信号は試験信号を生成する間隔を制御するものであり、所定の間隔で本発明の伝送路監視装置を処理させる。
以下、タイマ部３４０について図面を使用して詳細に説明する。図１８は、タイマ部の一例の構成図を示す。タイマ部３４０は、クロック部３４１及びカウンタ部３４２を含む。
【００５８】
クロック部３４１はクロック信号を生成し、そのクロック信号をカウンタ部３４２に供給する。カウンタ部３４２は供給されたクロック信号に基づいて時間管理を行ない、設定の時間に相当するクロック信号をカウントすると制御信号を光送信動作制御部３２０に供給する。また、後述するコマンド検出部からの信号が供給された場合、カウンタ部３４２は処理を停止する。
【００５９】
以上のように、本発明の伝送路監視装置の第六実施例は、タイマ部３４０を利用して試験信号の生成処理を制御することにより、所定の間隔で本発明の伝送路監視装置を処理させることが可能となる。したがって、消費電力の低減を図ることができる。
次に、本発明の第七実施例について説明する。図１９は、本発明の伝送路監視装置の第七実施例の構成図を示す。図１９の伝送路監視装置は、図１７にコマンド検出部３５０を更に含む構成である。したがって、図１９の伝送路監視装置の構成は図１７の構成と一部を除いて同様であり、同一部分には同一符号を付し説明を省略する。
【００６０】
コマンド検出部３５０は、上位側から供給されるデータ信号の所定位置に格納されている試験制御コマンド信号を検出し、その試験制御コマンド信号に基づく信号を光送信動作制御部３２０及びタイマ部３４０に供給する。なお、試験制御コマンド信号は、例えば図２０に示すようなフォーマットで供給される。図２０は、試験制御コマンド信号の一例の説明図を示す。
【００６１】
図２０の試験制御コマンド信号は夫々ビット毎に試験情報を表しており、例えばＣＯ１が伝送路試験の実施又は停止を示し、ＣＯ２が伝送路試験の停止又は一定周期での実施を示す。したがって、伝送路監視装置の制御を上位側で行なうことが可能となる。
以下、コマンド検出部３５０について図面を使用して詳細に説明する。図２１は、コマンド検出部の一例の構成図を示す。コマンド検出部３５０は、制御フレーム同期部３５１及び制御情報ＤＥＴ部３５２を含む。
【００６２】
制御フレーム同期部３５１は受信フレーム変換器５０から供給されるタイミングパルス信号に基づいて、試験制御コマンド信号との同期をとる。同期がとれた試験制御コマンド信号は制御情報ＤＥＴ部３５２に供給され、制御信号が検出される。そして、制御情報ＤＥＴ部３５２は検出した制御信号を光送信動作制御部３２０及びタイマ部３４０に供給する。
【００６３】
以上のように、本発明の伝送路監視装置の第七実施例はコマンド検出部３５０により上位側から供給されるデータ信号から制御信号を検出することが可能となり、伝送路監視装置の制御を上位側で行なうことが可能となる。また、上位側に伝送路異常を示す警報情報が転送された場合にのみ試験を行なえば良いので、消費電力の低減を図ることができる。
【００６４】
なお、特許請求の範囲に記載した第一光結合手段は、送信ＷＤＭ器７０に対応し、第一光分離手段は受信ＷＤＭ器２００に対応し、第二光結合手段は送信ＷＤＭ器２７０に対応し、第二光分離手段は受信ＷＤＭ器９０に対応し、第一試験信号生成手段はレベル光作成器８０に対応し、警報情報出力手段はレベル光受信部１２０に対応し、警報表示／転送手段は光ファイバ警報表示／転送部１３０に対応し、第二試験信号生成手段は試験データ光作成部３００に対応し、エラー情報出力手段は試験データ光受信部３１０に対応し、エラー情報表示／転送手段は光ファイバ警報表示／転送部１３０に対応し、第一制御手段は光送信動作制御部３２０に対応し、第二制御手段は光受信動作制御部３３０に対応し、タイマ手段はタイマ部３４０に対応し、コマンド検出手段はコマンド検出部３５０に対応している。
【００６５】
【発明の効果】
上述の如く、本発明によれば、上位装置で第一の波長の下りデータ信号と第二の波長の試験信号とを光結合し、その光結合された信号を下位装置の第一光分離手段，第二光結合手段を介して上位装置の第二光分離手段に供給することにより、上位装置，光伝送路，下位装置で構成されるループで光信号折り返し試験が可能となる。したがって、障害が発生した場合にその障害が光伝送路によるものか下位装置によるものかを容易に切り分けることができる。
【００６６】
例えば、光伝送路の保守管理と下位装置の保守管理とが別の業者による場合、現地調査により障害の切り分けを行なう必要があったが、本発明によれば事前に障害の切り分けが可能であるため、現地調査が必要なく障害に対する迅速な対応及び人件費の削減が可能である。
また、本発明によれば、第一光結合手段と、第一光分離手段と、第二光結合手段と、第二光分離手段とが受動素子で構成されていることにより、前記下位装置の電源状態によらず障害の切り分けが可能となる。
【００６７】
また、本発明によれば、第二の波長の試験信号を上位装置内で生成することにより、第一の波長のデータ信号に影響を与えず伝送路監視装置による障害の切り分けが可能となる。
また、本発明によれば、第二の波長の試験信号の信号レベルを監視し、その信号レベルが予め定められている所定の信号レベル以下になると警報情報を出力することにより、光伝送路，上位装置，及び下位装置の障害発生を検出できる。また、障害発生を検出した場合、その警報情報をＬＥＤ等の表示手段により表示すると共に、上位側に送信する上りデータ信号に警報情報を挿入することにより、上位側に障害発生を表す警報情報を送信することが可能となる。
【００６８】
また、本発明によれば、供給される下りデータ信号から第二の波長の試験信号を生成することにより、第二の波長の試験信号生成のための回路の簡素化が可能となる。
また、本発明によれば、試験信号から元の下りデータ信号を生成し、その下りデータ信号に含まれる同期信号及び誤り訂正信号を利用することにより、同期エラー情報及びデータ信号エラー情報を出力することが可能となる。ここで、同期エラー情報は光伝送路の異常を監視することができ、データ信号エラーは光伝送路の劣化等の伝送路状態を監視することができる。
【００６９】
また、同期エラー情報及びデータ信号エラー情報を検出した場合、そのエラー情報をＬＥＤ等の表示手段により表示すると共に、上位側に送信する上りデータ信号にそのエラー情報を挿入することにより、上位側に同期エラー及びデータ信号エラーの発生を表すエラー情報を送信することが可能となる。
また、本発明によれば、第一試験信号生成手段の処理の開始及び停止を制御することにより、本発明の伝送路監視装置を必要としない場合に第一試験信号生成手段の処理を停止し、消費電力の低減を図ることが可能となる。
【００７０】
また、本発明によれば、警報情報出力手段及び警報表示／転送手段の処理の開始及び停止を制御することにより、本発明の伝送路監視装置を必要としない場合に警報情報出力手段及び警報表示／転送手段の処理を停止し、消費電力の低減を図ることが可能となる。
また、本発明によれば、第一制御手段の制御を時間的に管理するタイマ手段を有することにより、所定の間隔で本発明の伝送路監視装置装置を処理させることが可能となる。
【００７１】
また、本発明によれば、下りデータ信号に含まれるコマンド信号を検出し、そのコマンド信号に基づいて第一制御手段の制御を管理することにより、更に上位側に位置する装置で本発明の伝送路監視装置の制御が可能となる。したがって、上位側に位置する装置で光伝送路監視が必要であると判断した場合にのみ光伝送路の監視を行なえば良く、消費電力の低減を図ることが可能となる。
【００７２】
また、本発明によれば、上位装置で第一の波長の下りデータ信号と第二の波長の試験信号とを光結合して下位装置に送信し、下位装置でその光結合された信号を第一の波長の下りデータ信号と第二の波長の試験信号とに光分離し、第一の波長の上りデータ信号と前記光分離された第二の波長の試験信号とを光結合して上位装置に送信し、上位装置でその光結合された信号を第一の波長の上りデータ信号と第二の波長の試験信号とに光分離することにより、上位装置，下位装置，及び光伝送路でループを構成し、光信号折り返し試験が可能となる。したがって、障害が発生した場合にその障害が光伝送路によるものか下位装置によるものかを容易に切り分けることができる。
【図面の簡単な説明】
【図１】伝送路監視装置の一例の構成図である。
【図２】本発明の伝送路監視装置の第一実施例の構成図である。
【図３】レベル光作成器の一例の構成図である。
【図４】送信ＷＤＭ器の一例の構成図である。
【図５】受信ＷＤＭ器の一例の構成図である。
【図６】レベル光受信部の一例の構成図である。
【図７】光ファイバ警報表示／転送部の一例の構成図である。
【図８】光ファイバ警報表示／転送部の入出力信号の一例のタイミング図である。
【図９】本発明の伝送路監視装置の第二実施例の構成図である。
【図１０】試験データ光作成部の一例の構成図である。
【図１１】本発明の伝送路監視装置の第三実施例の構成図である。
【図１２】試験データ光受信部の一例の構成図である。
【図１３】同期処理の一例の説明図である。
【図１４】本発明の伝送路監視装置の第四実施例の構成図である。
【図１５】光送信動作制御部の一例の構成図である。
【図１６】本発明の伝送路監視装置の第五実施例の構成図である。
【図１７】本発明の伝送路監視装置の第六実施例の構成図である。
【図１８】タイマ部の一例の構成図である。
【図１９】本発明の伝送路監視装置の第七実施例の構成図である。
【図２０】試験制御コマンド信号の一例の説明図である。
【図２１】コマンド検出部の一例の構成図である。
【符号の説明】
１０    サービス局
１２    局装置
２０    ユーザ宅
２２    端末装置
２４    宅内装置
４０    下り光ファイバ伝送路
４２    上り光ファイバ伝送路
７０，２７０    送信ＷＤＭ器
８０    レベル光作成器
９０，２００    受信ＷＤＭ器
１２０    レベル光受信部
１３０    光ファイバ警報表示／転送部
３００    試験データ光作成部
３１０    試験データ光受信部
３２０    光送信動作制御部
３３０    光受信動作制御部
３４０    タイマ部
３５０    コマンド検出部
【図１】
0003908402.tif 000002
【図２】
0003908402.tif 000003
【図３】
0003908402.tif 000004
【図４】
0003908402.tif 000005
【図５】
0003908402.tif 000006
【図６】
0003908402.tif 000007
【図７】
0003908402.tif 000008
【図８】
0003908402.tif 000009
【図９】
0003908402.tif 000010
【図１０】
0003908402.tif 000011
【図１１】
0003908402.tif 000012
【図１２】
0003908402.tif 000013
【図１３】
0003908402.tif 000014
【図１４】
0003908402.tif 000015
【図１５】
0003908402.tif 000016
【図１６】
0003908402.tif 000017
【図１７】
0003908402.tif 000018
【図１８】
0003908402.tif 000019
【図１９】
0003908402.tif 000020
【図２０】
0003908402.tif 000021
【図２１】
0003908402.tif 000022